【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
第１の端部に促進剤を収容しているキャニスタと、使用者の口または鼻の中に挿入するように構成された第２の端部とを備える本体部材と、
前記本体部材内で前記キャニスタと前記第２の端部の間に位置決めされる、薬剤を保持するための容器と、前記容器内の薬剤を促進剤に曝すために、前記キャニスタと前記容器の間に配置される機構と、を備え、
前記キャニスタが前記容器の方へ移動されるとき、（ｉ）前記機構が前記容器を通過し、服用量の薬剤を前記第２の端部の方へ運び、（ｉｉ）前記キャニスタが駆動されて、促進剤および薬剤を前記機構から使用者の口または鼻の中へ吐出する、少なくとも１服用量の薬剤を投与するためのデバイス。
【請求項２】
前記機構が正確な服用量の薬剤を前記第２の端部へ供給するような寸法にされた請求項１に記載のデバイス。
【請求項３】
前記機構の寸法により、前記デバイスによって投与される薬剤の服用量が制御される請求項１に記載のデバイス。
【請求項４】
前記機構は穿刺部材である請求項１に記載のデバイス。
【請求項５】
前記キャニスタが前記容器の方へ移動するとき、前記穿刺部材が前記容器を通過し、服用量の薬剤が前記第２の端部の方へ供給される請求項４に記載のデバイス。
【請求項６】
前記穿刺部材の少なくとも先端部分が中空であり、服用量の薬剤が、前記穿刺部材の前記中空の部分内に取り入れられる請求項５に記載のデバイス。
【請求項７】
前記穿刺部材の内直径が、正確な服用量の薬剤を取り出すような寸法にされた請求項６に記載のデバイス。
【請求項８】
前記穿刺部材の内直径の寸法により、前記デバイスによって供給される薬剤の服用量が制御される請求項６に記載のデバイス。
【請求項９】
前記穿刺部材の内直径が、約０．００５インチ（０．１２７ｍｍ）から約０．１インチ（２．５４ｍｍ）の範囲である請求項７に記載のデバイス。
【請求項１０】
前記穿刺部材の内直径が、約０．０１インチ（０．２５４ｍｍ）から約０．０８インチ（２．０３ｍｍ）の範囲である請求項７に記載のデバイス。
【請求項１１】
前記キャニスタが、前記促進剤が前記キャニスタから前記穿刺部材の前記中空部分を通して吐出されて、前記服用量の薬剤が前記穿刺部材から吐出されるように、前記穿刺部材に接続されている請求項７に記載のデバイス。
【請求項１２】
前記穿刺部材が針である請求項４に記載のデバイス。
【請求項１３】
前記穿刺部材が、穿刺端部で約３０°から６０°の角度で鋭利にされ、頂点の反対側の前記穿刺部の縁で鈍角にされた、請求項４に記載のデバイス。
【請求項１４】
前記薬剤を保持している前記容器の厚さにより、前記デバイスによって投与される薬剤の服用量が制御される請求項１に記載のデバイス。
【請求項１５】
前記容器が前記薬剤で部分的に充填される請求項４に記載のデバイス。
【請求項１６】
前記薬剤が前記容器内の少なくとも１つの区画内に収容される請求項１５に記載のデバイス。
【請求項１７】
前記薬剤が前記容器内の中央の単一の区画内に収容される請求項１６に記載のデバイス。
【請求項１８】
前記少なくとも１つの区画が円筒形の形状である、請求項１６または１７に記載のデバイス。
【請求項１９】
前記少なくとも１つの区画が前記穿刺部材の断面積と近似的に同じ断面積を有し、前記容器内の前記薬剤の残留量を最小にする請求項１５に記載のデバイス。
【請求項２０】
前記薬剤を収容している前記少なくとも１つの区画の高さにより、前記デバイスによって投与される薬剤の服用量が制御される、請求項１４に記載のデバイス。
【請求項２１】
複数の区画が、前記容器内に円形状をなすように位置決めされている請求項１６に記載のデバイス。
【請求項２２】
前記複数の区画のそれぞれが前記穿刺部材と整列するように、前記容器を回転させるための回転機構を備える請求項２１に記載のデバイス。
【請求項２３】
回転する前記容器を定位置にロックするためのロッキング機構であって、前記区画が前記穿刺部材と整列するたびに前記容器を定位置にロックするロッキング機構を更に備える請求項２２に記載のデバイス。
【請求項２４】
服用量が、約５μｇから約３０ｍｇの範囲である請求項１に記載のデバイス。
【請求項２５】
服用量が、約１０μｇから約２０ｍｇの範囲である請求項１に記載のデバイス。
【請求項２６】
前記薬剤が精細に分割された粒子から成り、前記精細に分割された粒子が約１ミクロンから約５０ミクロンの範囲の直径を有する請求項１に記載のデバイス。
【請求項２７】
前記薬剤が精細に分割された粒子から成り、前記精細に分割された粒子が約３ミクロンから約５０ミクロンの範囲の直径を有する請求項１に記載のデバイス。
【請求項２８】
前記薬剤が１つまたは複数の薬剤である請求項１に記載のデバイス。
【請求項２９】
前記薬剤が液体である請求項１に記載のデバイス。
【請求項３０】
前記容器内の薬剤の周囲を第２の端部に向かって前記キャニスタから延びる少なくとも１つのバイパス通路を更に備え、促進剤の少なくとも一部分が前記少なくとも１つのバイパス通路を通って移動し、促進剤の少なくとも一部分が前記容器を通って移動し、前記薬剤を前記第２の端部へ供給する、請求項４に記載のデバイス。
【請求項３１】
前記促進剤のうち前記バイパス通路内を通った部分が、前記容器を通って移動する促進剤の一部と混合し、前記薬剤を使用者の口または鼻へ投与することを助ける、請求項３０に記載のデバイス。
【請求項３２】
前記容器からの薬剤と前記促進剤のうち前記容器を通って移動する部分とが吐出される渦型チャンバを更に備え、該渦型チャンバが、前記少なくとも１つのバイパス通路が前記促進剤の前記バイパス通路を通って移動する部分を吐出する位置にある請求項３０または３１に記載のデバイス。
【請求項３３】
前記促進剤がクロロフルオロカーボンまたはハイドロフルオロアルカン（Ｈｙｄｒｏｆｌｕｏｒｏａｌｋａｎｅ：ＨＦＡ）促進剤である請求項１に記載のデバイス。
【請求項３４】
前記促進剤が、ハイドロフルオロアルカン１３４ａまたはハイドロフルオルアルカン２２７から選択される請求項３３に記載のデバイス。
【請求項３５】
前記キャニスタが、懸濁液状または溶液状の薬剤を更に収容する請求項１に記載のデバイス。
【請求項３６】
前記薬剤が、芳香剤、界面活性剤、水、アルコールまたはその他の溶液、および化学薬品から選択される請求項３５に記載のデバイス。
【請求項３７】
前記薬剤が１つまたは複数の薬剤である請求項３６に記載のデバイス。
【請求項３８】
前記エアゾールキャニスタが穿刺部材を備えるバルブステムを含み、該バルブステムを通して促進剤が吐出される請求項３５に記載のデバイス。
【請求項３９】
前記キャニスタと前記容器の間に位置決めされた止め部材を備え、前記キャニスタが下向きに移動したとき前記キャニスタが前記止め部材と接触し、この接触により駆動される請求項１に記載のデバイス。
【請求項４０】
前記第１の端部が前記第２の端部から分離するように、前記本体部材の第１の端部を前記本体部材の第２の端部に接続させる締結機構をさらに備える、請求項１に記載のデバイス。
【請求項４１】
前記エアゾールキャニスタが計量バルブを備える請求項１に記載のデバイス。
【請求項４２】
前記穿刺部材が刃または刃様の部材を備える請求項４に記載のデバイス。
【請求項４３】
前記キャニスタが使い捨ての１回使用の圧縮エアゾールキャニスタである請求項１に記載のデバイス。
【請求項４４】
使用者の口または鼻の中に少なくとも１服用量の薬剤を投与するためのデバイスであって、
前記デバイスを通して促進剤を駆動するキャニスタの駆動によって前記服用量の薬剤が分散され、前記薬剤は容器内に収容されており、少なくとも１つの中空の先端部分を有する穿刺部材が前記容器を穿刺して服用量の薬剤を取り出し、前記穿刺部材の中空部分が正確な服用量の薬剤を取り出すようなサイズにされているデバイス。
【請求項４５】
促進剤を吐出するキャニスタの駆動によって服用量の薬剤が投与され、前記薬剤が容器内に収容されており、穿刺部材が前記容器を穿刺して前記服用量の薬剤を取り出し、前記容器が前記穿刺部材によって取り出される前記薬剤の服用量を制御する厚さを有する、使用者の口または鼻の中に少なくとも１服用量の薬剤を投与するためのデバイス。
【請求項４６】
請求項１に記載の１つまたは複数の投与デバイスと、それぞれが少なくとも１つの薬剤を保持する１つまたは複数の容器とを備える投与デバイスキット。
【請求項４７】
（ａ）第１の端部に促進剤を収容しているエアゾールキャニスタを有し、かつ使用者の口または鼻の中に挿入するように構成された第２の端部を有する本体部材であって、前記エアゾールキャニスタが前記本体部材内を下向きに移動可能である本体部材と、
前記本体部材内で前記エアゾールキャニスタと第２の端部の間に位置決めされた、薬剤を保持するための容器と、
前記エアゾールキャニスタと前記容器の間の穿刺部材とを備える、服用量の薬剤を投与するためのデバイスを提供すること、
（ｂ）前記本体部材の前記第２の端部を使用者の口または鼻の中へ挿入すること、
（ｃ）前記穿刺部材に前記容器を通過させることによって、前記本体部材の前記第２の端部の方へ前記服用量の薬剤を運ぶこと、
（ｄ）前記エアゾールキャニスタを前記第２の端部の方へ下向きに移動させることによって、前記エアゾールキャニスタを駆動して、前記促進剤を前記本体部材を通して前記第２の端部の方へ吐出すること、
（ｅ）前記促進剤が、前記服用量の薬剤を前記穿刺部材から使用者の口または鼻の中へ分散させることを可能にすることを含む、少なくとも１服用量の吸入可能な薬剤を投与するための方法。
【請求項４８】
促進剤が薬剤を分散させ、使用者が薬剤を肺まで向かわせるために吸入を行う、薬剤を投与するために請求項１に記載のデバイスを使用することを含む使用者の口または鼻へ薬剤を投与するための方法。
【請求項４９】
（ａ）第１の端部に促進剤を収容しているエアゾールキャニスタを有し、かつ使用者の口または鼻の中に挿入するように構成された第２の端部を有する本体部材であって、前記エアゾールキャニスタが前記本体部材内を下向きに移動可能である本体部材と、
前記本体部材内に前記エアゾールキャニスタと前記第２の端部の間に位置決めされる、薬剤を保持するための容器と、前記容器内の薬剤を促進剤に曝すために、前記キャニスタと前記容器の間に配置される機構とを備える、１服用量の薬剤を投与するためのデバイスを提供すること、
（ｂ）前記本体部材の前記第２の端部を使用者の口または鼻の中へ挿入すること、
（ｃ）前記エアゾールキャニスタを前記第２の端部の方へ移動させることによって、前記エアゾールキャニスタを駆動して、前記促進剤を前記本体部材を通して前記第２の端部の方へ吐出し、前記キャニスタが前記容器の方へ移動されるときに、前記機構が前記容器を通過し、服用量の薬剤を前記第２の端部の方へ運ぶこと、
（ｄ）前記促進剤が、前記服用量の薬剤を前記機構から使用者の口または鼻の中へ分散させることを可能にすることを含む、少なくとも１服用量の吸入可能な薬剤を投与するための方法。
【請求項５０】
薬剤を投与するためのデバイスを用いて、少なくとも１服用量の吸入可能な薬剤を投与するための方法であって、前記デバイスは、
（ａ）第１の端部に促進剤を収容しているエアゾールキャニスタを有し、かつ使用者の口または鼻の中に挿入するように構成された第２の端部を有する本体部材であって、前記エアゾールキャニスタが前記本体部材内を下向きに移動可能である本体部材と、
（ｂ）前記本体部材内で前記エアゾールキャニスタと第２の端部の間に位置決めされた、薬剤を保持するための容器と、
前記容器内の薬剤を促進剤に曝すために、前記キャニスタと前記容器の間に配置される機構とを備え、前記方法が、
（ｉ）前記本体部材の前記第２の端部を使用者の口または鼻の中へ挿入すること、
（ｉｉ）前記エアゾールキャニスタを前記第２の端部の方へ移動させることによって、前記エアゾールキャニスタを駆動して、前記促進剤を前記本体部材を通して前記第２の端部の方へ吐出し、前記キャニスタが前記容器の方へ移動されるときに、前記機構が前記容器を通過し、服用量の薬剤を前記第２の端部の方へ運ぶこと、
（ｉｉｉ）前記促進剤が、前記薬剤を前記機構から使用者の口または鼻の中へ分散させることを可能にすることを含む、少なくとも１服用量の吸入可能な薬剤を投与するための方法。